(57)【要約】      （修正有）【課題】高い擬似性を有し、効果的にプレーヤーの臨場感を向上させる、模擬銃の構造を提供する。【解決手段】銃本体には往復運動機能を備えたチャージングハンドル１１が可動に設けられ、チャージングハンドル一端には弾性部品が嵌設されたガス管体が結合され、ガス管体には銃本体内に収容された衝突部品１４が接続され、銃本体における衝突部品の往復運動の軌道上には打撃部品１５が設けられる。以上の構造により、撃発の時、チャージングハンドルを後方へ連動させて擬似的な装填動作を行うと同時に、チャージングハンドルがガス管体を牽動して、さらにガス管体が衝突部品を連動させる。またチャージングハンドルが復位する時、衝突部品は打撃部品に強く衝突する。この時、本物の銃に装填するような軽快に響く音が生じる。【選択図】図２
0003190378.tif 000002
【実用新案登録請求の範囲】
【請求項１】
銃本体と、衝突部品と、打撃部品と、当接部品とからなる模擬銃の構造であって、
前記銃本体内には、チャージングハンドルが可動に設けられ、
前記チャージングハンドル一端には、前記チャージングハンドルを往復運動させるために弾性部品が設けられ、
前記衝突部品は、前記銃本体内に設けられるとともに、前記チャージングハンドルと接続され、
前記打撃部品は、前記銃本体内に設けられるとともに、前記衝突部品の軌道線上に位置し、
前記当接部品は、前記衝突部品と前記打撃部品をより密着させるために前記衝突部品一側に固設されることを特徴とする、模擬銃の構造。
【請求項２】
前記衝突部品一側には、さらに波状部が形成され、
前記打撃部品における前記波状部と対応する一側には、接触部が形成され、
前記当接部品は、前記波状部から離れた位置に設けられることを特徴とする、請求項１に記載の模擬銃の構造。
【請求項３】
前記打撃部品は、前記銃本体の銃腔前端に隣接して設けられることを特徴とする、請求項１に記載の模擬銃の構造。
【請求項４】
前記弾性部品は、バネであることを特徴とする、請求項１に記載の模擬銃の構造。
【請求項５】
前記衝突部品と前記打撃部品は、中実の金属材質からなることを特徴とする、請求項１に記載の模擬銃の構造。
【請求項６】
前記チャージングハンドルにおける前記弾性部品から離れた一端には、接続部品が固設され、
前記接続部品一端には、前記衝突部品が固設されることを特徴とする、請求項１に記載の模擬銃の構造。
【請求項７】
銃本体と、衝突部品と、打撃部品と、当接部品とからなる模擬銃の構造であって、
前記銃本体内には、チャージングハンドルが可動に設けられ、
前記チャージングハンドル一端には、前記チャージングハンドルを往復運動させるために弾性部品が設けられ、
前記衝突部品は、前記銃本体内に設けられるとともに、前記チャージングハンドルと接続され、
前記打撃部品は、前記銃本体内に設けられるとともに、前記衝突部品の軌道線上に位置し、
前記当接部品は、前記打撃部品と前記衝突部品をより密着させるために前記打撃部品一側に固設されることを特徴とする、模擬銃の構造。
【請求項８】
前記衝突部品一側には、さらに波状部が形成され、
前記打撃部品における前記波状部と対応する一側には、接触部が形成され、
前記当接部品は、前記接触部から離れた位置に設けられることを特徴とする、請求項７に記載の模擬銃の構造。
【請求項９】
銃本体と、衝突部品と、打撃部品とからなる模擬銃の構造であって、
前記銃本体内には、チャージングハンドルが可動に設けられ、
前記チャージングハンドル一端には、ガス管体が結合され、
前記ガス管体には、弾性部品が嵌設され、
前記衝突部品は、前記銃本体内に設けられるとともに、前記ガス管体一端と接続され、
前記打撃部品は、前記銃本体内に設けられるとともに、前記衝突部品の軌道線上に位置することを特徴とする、模擬銃の構造。
【請求項１０】
前記衝突部品一側には、さらに波状部が形成され、
前記打撃部品における前記波状部と対応する一側には、接触部が形成されることを特徴とする、請求項９に記載の模擬銃の構造。
【考案の詳細な説明】
【技術分野】
【０００１】
本考案は、銃器に関し、特に装填音が真に迫っており、効果的にプレーヤーの楽しみを向上させることができる、模擬銃の構造に関する。
【背景技術】
【０００２】
１６世紀、火砲のサイズ縮小によって作られた火縄銃から小型火器が始まった。この後の銃器は、さらに機械工芸と新形態火薬の結合に伴い、極めて高い攻撃性を備えた武器となっていった。今日では、工業技術の発展とともに、銃器は徐々に改良が進められており、軍事・警備目的、狩猟やスポーツ競技において幅広く使用されている。
【０００３】
しかし、多くの銃器規制法を有する国において、愛好者は模型の銃器を買うことによってしか、銃器の収蔵、所持という夢を満足させることができない。よって殺傷力を持たない様々な模擬銃が生み出されることとなり、トイガンやＢＢ銃といった略称で一般に市販されている。
【０００４】
現在、トイガン外側の材質及び加工技術の改良によって、トイガンの外観は非常に真に迫っているものの、内部の銃器構造は本物とはかけ離れた状態のままである。例えば、トイガンを使用する際、本物の銃のような強い振動や装填音がなく、非常に単調である。また、あるメーカーによって開発された後座力機能を備えたトイガンは、撃発時に本物の銃のような後座力を備えているものの、装填音の表現は精彩を欠いている。電子音を付け加えたタイプのものも市販されているが、臨場感はやはり本物の銃の装填音に及ばない。
【考案の概要】
【考案が解決しようとする課題】
【０００５】
そこで、本考案は、ガス管体の連動を利用して、チャージングハンドルを引き動かした時に、ガス管体が衝突部品を牽動することにより、限られたスペースにおいて本物の銃を模すことができる、模擬銃の構造を提供することを目的とする。
【０００６】
また、本考案は、衝突部品と打撃部品がぶつかり合うことによって極めて本物に近い装填音を生じ、効果的に模擬性を高めるという利点を有するとともに、プレーヤーの使用上の楽しみを増すことができる、模擬銃の構造を提供することを目的とする。
【課題を解決するための手段】
【０００７】
上述の目的を達成するため、本考案の模擬銃の構造は、銃本体と、衝突部品と、打撃部品と、当接部品とからなる。前記銃本体内にはチャージングハンドルと接続されたガス管体が収容される。前記衝突部品は、前記銃本体内に収容されるとともに前記ガス管体一端と接続される。前記打撃部品は、前記銃本体内に収容されるとともに前記衝突部品の軌道線上に位置する。前記当接部品は、前記衝突部品一側に固定されて前記打撃部品をより密着させる。また、前記ガス管体上には弾性部品が設けられて、前記チャージングハンドルを往復運動させる。さらに、前記衝突部品における一側には波状部が形成され、前記打撃部品における前記波状部と対応する側には接触部が形成される。以上の構造により、撃発する時、まずチャージングハンドルを後方へ引いて装填を行い、同時にチャージングハンドルがガス管体を牽動し、ガス管体が衝突部品を牽動し、チャージングハンドルが弾性部品の逆方向への推力によって復位する。この際、復位の過程において、衝突部品が強く且つ素早く打撃部品に衝突し、同時に波状部と接触部が摩擦し合うことにより、軽快な響きの間断的な衝突音を生じる。
【考案の効果】
【０００８】
本考案は、以上の構造及び動作に基づき、本物の銃の装填に近い音を出し、プレーヤーの楽しみを向上させることができる。
【図面の簡単な説明】
【０００９】
【図１】実施例１の銃本体の部分立体透視図である。
【図２】実施例１の銃本体の部分分解図である。
【図３】実施例１の衝突部品と打撃部品の立体図である。
【図４】実施例１の衝突部品と打撃部品の作動を示した概略図１である。
【図５】実施例１の衝突部品と打撃部品の作動を示した概略図２である。
【図６】実施例２の銃本体の部分立体透視図である。
【図７】実施例２の銃本体の部分分解図である。
【図８】実施例２の衝突部品と打撃部品の立体図である。
【図９】実施例２の衝突部品と打撃部品の作動概略図１である。
【図１０】実施例２の衝突部品と打撃部品の作動概略図２である。
【図１１】実施例３の銃本体の部分立体透視図である。
【図１２】実施例３の銃本体の部分分解図である。
【図１３】実施例３の衝突部品と打撃部品の立体図である。
【図１４】実施例３の衝突部品と打撃部品の作動概略図１である。
【図１５】実施例３の衝突部品と打撃部品の作動概略図２である。
【考案を実施するための形態】
【００１０】
（実施例１）
図１、図２、図３を参照する。本考案の模擬銃の構造は、銃本体１と、衝突部品１４と、打撃部品１５と、当接部品１６とからなる。銃本体１には、チャージングハンドル１１が可動に設けられる。チャージングハンドル１１一端には、チャージングハンドル１１を往復作動させるバネの弾性部品１２が設けられ、チャージングハンドル１１他端には接続部品１３が固設される。接続部品１３一端には、後述する衝突部品１４が固設される。衝突部品１４（中実の金属材質）は、銃本体１内に収容されるとともに、チャージングハンドル１１の接続部品１３と接続される。衝突部品１４一側には、波状部１４１が形成される。打撃部品１５（中実の金属材質）は、銃本体１における銃腔前端近くに収容されるとともに、衝突部品１４の軌道線上に位置する。打撃部品１５における波状部１４１と対応する側面には、接触部１５１が形成される。当接部品１６は、衝突部品１４一側に固設されて打撃部品１５をより密着させる。また当接部品１６は、波状部１４１から離れた側面に設けられる。
【００１１】
図２から図５までを参照する。図、及び以下に示す動作により、装填動作の際に、本物の銃のような軽快な装填音が響く。まず、使用者は手で銃本体１を握り、チャージングハンドル１１を後方へ引き動かす。これと同時に弾性部品１２がチャージングハンドル１１に圧迫された影響で変形するとともに、チャージングハンドル１１が接続部品１３によって衝突部品１４を引き動かして、衝突部品１４と打撃部品１５が位置移動による摩擦を生じ、且つ波状部１４１と接触部１５１の形状によって間断的に音が生じ、チャージングハンドル１１が位置決めされる。続いて、弾性部品１２が弾性的に復位することで、チャージングハンドル１１を銃腔前端へ向かって押す力が生じる。これにより、使用者が制止を解除した時、弾性部品１２に押し動かされたチャージングハンドル１１が衝突部品１４を打撃部品１５に強く衝突させ、同様に波状部１４１と接触部１５１の作動により間断的に軽快に響く音が生じる。また、衝突部品１４及び打撃部品１５は中実金属材質であるため、衝突時に本物の銃に装填したような音を出す。この他、衝突部品１４と打撃部品１５の接触圧迫力を強化するために、衝突部品１４は当接部品１６によって効果的に打撃部品１５側に当接され、緩みが生じない。
【００１２】
（実施例２）
図６、図７、図８を参照する。本考案の模擬銃の構造は、銃本体１ａと、衝突部品１４ａと、打撃部品１５ａと、当接部品１６ａとからなる。銃本体１ａには、チャージングハンドル１１ａが可動に設けられる。チャージングハンドル１１ａ一端には、チャージングハンドル１１ａを往復作動させるための弾性部品１２ａが設けられる。衝突部品１４ａは、銃本体１ａ内に収容されるとともに、チャージングハンドル１１ａと接続される。衝突部品１４ａ一側には、波状部１４１ａが形成される。打撃部品１５ａは、銃本体１ａ内に収容されるとともに衝突部品１４ａの軌道線上に位置する。打撃部品１５ａにおける波状部１４１ａと対応する側面には、接触部１５１ａが形成される。当接部品１６ａは、打撃部品１５ａ一側に固設されて衝突部品１４ａをより密着させる。また当接部品１６ａは、接触部１５１ａから離れた側面に設けられる。
【００１３】
図７から図１０までを参照する。使用者がチャージングハンドル１１ａを引き動かした時、衝突部品１４ａの波状部１４１ａと打撃部品１５ａの接触部１５１ａが摩擦し合うことにより間断的に響く音を生じる。逆に、弾性部品１２ａの復位によって押された時にも、同等の音を生じる。さらに、当接部品１６ａにより、打撃部品１５ａがより効果的に衝突部品１４ａを圧迫するため、より良好な密着性を達成することができる。
【００１４】
（実施例３）
図１１、図１２、図１３を参照する。本考案の模擬銃の構造は、銃本体１ｂと、衝突部品１４ｂと、打撃部品１５ｂとからなる。銃本体１ｂには、チャージングハンドル１１ｂが可動に設けられる。チャージングハンドル１１ｂ一端には、ガス管体１７ｂが設けられ、ガス管体１７ｂには弾性部品１２ｂが嵌設される。衝突部品１４ｂは、銃本体１ｂ内に収容されるとともに、ガス管体１７ｂ一端と接続される。また、衝突部品１４ｂ一側には波状部１４１ｂが形成され、且つ衝突部品１４ｂは弾性部品１２ｂにおけるチャージングハンドル１１ｂから離れた一端と結合される。打撃部品１５ｂは、銃本体１ｂ内に収容されるとともに衝突部品１４ｂの軌道線上に位置する。打撃部品１５ｂにおける波状部１４１ｂと対応する側面には、接触部１５１ｂが形成される。
【００１５】
図１２から図１５までを参照する。使用者がチャージングハンドル１１ｂを引き動かした時、チャージングハンドル１１ｂはガス管体１７ｂの媒介によって衝突部品１４ｂを後方へ移動させる。この時、弾性部品１２ｂの当接によって衝突部品１４ｂが弾性的に復位する機能を備えるため、復位の時、衝突部品１４ｂは打撃部品１５ｂと接触して摩擦し合うとともに、波状部１４１ｂと接触部１５１ｂによって間断的に響く音を生じる。本実施例の主な要点は、ガス管体１７ｂが衝突部品１４ｂを連動させて反復衝突する効果を生じることにより、効果的に元々の銃本体１ｂにおけるスペース内で衝突構造を作り出すことができるため、外観構造を変更する必要がないということである。
【００１６】
本考案は以下の利点を有する。
一、ガス管体１７ｂの連動を利用し、チャージングハンドル１１ｂを引き動かした時、ガス管体１７ｂが衝突部品１４ｂを牽動することにより、限られたスペースにおいて本物の銃を模する構造を達成する。
二、衝突部品１４と打撃部品１５のぶつかり合いによって極めて本物に近い装填音を生じることにより、効果的に高い擬似性を達成し、プレーヤーの使用時における楽しみを増やすことができる。
【符号の説明】
【００１７】
１                   銃本体
１ａ          銃本体
１ｂ          銃本体
１１          チャージングハンドル
１１ａ        チャージングハンドル
１１ｂ        チャージングハンドル
１２          弾性部品
１２ａ        弾性部品
１２ｂ        弾性部品
１３          接続部品
１４          衝突部品
１４ａ        衝突部品
１４ｂ        衝突部品
１４１        波状部
１４１ａ      波状部
１４１ｂ      波状部
１５          打撃部品
１５ａ        打撃部品
１５ｂ        打撃部品
１５１        接触部
１５１ａ      接触部
１５１ｂ      接触部
１６          当接部品
１６ａ        当接部品
１７ｂ        ガス管体
【図１】
0003190378.tif 000003
【図２】
0003190378.tif 000004
【図３】
0003190378.tif 000005
【図４】
0003190378.tif 000006
【図５】
0003190378.tif 000007
【図６】
0003190378.tif 000008
【図７】
0003190378.tif 000009
【図８】
0003190378.tif 000010
【図９】
0003190378.tif 000011
【図１０】
0003190378.tif 000012
【図１１】
0003190378.tif 000013
【図１２】
0003190378.tif 000014
【図１３】
0003190378.tif 000015
【図１４】
0003190378.tif 000016
【図１５】
0003190378.tif 000017